(57)【特許請求の範囲】
【請求項１】
球状芯部と、
前記球状芯部の表面に沿って摺動できる複数のブロックと、
前記複数のブロックにそれぞれ設けられ前記球状芯部に対向して配置された吸着部とを備え、
前記複数のブロックが、所定の垂直面、前記所定の垂直面に直交する他の垂直面、および前記両垂直面に直交する所定の水平面にそれぞれ内面を位置させて配置され、前記所定の垂直面、前記他の垂直面または前記所定の水平面に沿った任意の複数のブロックが他の対向する複数のブロックに対して前記球状芯部を中心としてスライド回転できるようになっているとともに、
前記球状芯部と前記吸着部との一方が磁性体で構成され、他方が磁石で構成され、
前記複数のブロックの内面に、それぞれ前記ブロックの内面における前記球状芯部側から外側に向かって延びる条溝と、前記条溝の内部から前記条溝の外部に突出する摺動面を備えた凸部とが形成され、
かつ前記複数のブロックの前記凸部の前記条溝の端部からの位置がそれぞれ異なるようになっているとともに、同じブロックの内面に形成された前記凸部の前記条溝の端部からの位置がそれぞれ同じになって、
隣接する各ブロックのそれぞれの内面どうしが対向したときに、対向する一方の内面の条溝に前記摺動面を対向させて他方の内面の凸部が係合するようにしたことを特徴とする立体パズル。
【請求項２】
前記立体パズルの全体形状を立方体にするとともに、前記複数のブロックを８個で構成し、前記条溝を前記ブロックの内面における前記球状芯部側から対角線方向の外側に向かって延びるように形成した請求項１に記載の立体パズル。
【請求項３】
前記複数のブロックを２６個で構成した請求項１に記載の立体パズル。
【請求項４】
前記球状芯部を磁性体で構成し、前記吸着部を磁石で構成した請求項１ないし３のいずれか一つに記載の立体パズル。
【請求項５】
全体形状が立方体で、その各外面に位置する前記ブロックの外面がそれぞれ同じ色になるとともに、前記立方体の６つの外面が互いに異なる色になるように前記ブロックを組み付けできるようにした請求項１ないし４のいずれか一つに記載の立体パズル。
【発明の詳細な説明】
【技術分野】
【０００１】
本発明は、玩具として用いられる立体パズルに関する。
【背景技術】
【０００２】
従来から、表面に異なる色が着色された複数のブロックを互いに移動可能に組み付けて、各外面の色をばらばらにしたのちに同じ色に組み合わせる立体パズルが玩具として用いられている。また、このような立体パズルに、所定の形状に形成できる複数のブロックで構成され、各ブロックをばらばらにして形状を崩したのちに所定の形状に戻すものもある（例えば、特許文献１参照）。
【０００３】
この立体パズルは、ベースユニット、複数の中央ブロック、複数の側面ブロックおよびエッジブロックからなっている。ベースユニットには、６個の固定接続柱が設けられ、各固定接続柱に中央ブロックが連結されて固定基礎ブロックが形成されている。また、側面ブロックとエッジブロックは、中央ブロックの間に回転可能な状態で組み付けられており、所定の中央ブロックに入口と出口が形成され、側面ブロックおよびエッジブロックに空洞の通り道が形成されている。そして、側面ブロックとエッジブロックを回転させることにより、通り道を介して入口と出口を連通させることができ、その状態で、球体を入口から入れると、球体は通り道を通って出口から出ていく。
【先行技術文献】
【特許文献】
【０００４】
【特許文献１】特開２００６−２７１５６９号公報
【発明の概要】
【０００５】
しかしながら、前述した立体パズルでは、ベースユニット、中央ブロック、側面ブロックおよびエッジブロックが複雑に絡み合った状態で組み付けられているため、操作時に摺動抵抗が大きくなるという問題がある。また、この立体パズルは、一旦分解すると、元の状態に組み付けることが難しいという問題もある。
【０００６】
本発明は、前述した問題に対処するためになされたもので、その目的は、操作時の摺動抵抗を小さくでき、かつ、分解後の組付けが容易になる立体パズルを提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係る立体パズル（１０，２０）の構成上の特徴は、  球状芯部（１１，２１）と、球状芯部の表面に沿って摺動できる複数のブロック（１２，２２，２３，２４）と、複数のブロックにそれぞれ設けられ球状芯部に対向して配置された吸着部（１８，２８）とを備え、複数のブロックが、所定の垂直面、所定の垂直面に直交する他の垂直面、および両垂直面に直交する所定の水平面にそれぞれ内面を位置させて配置され、所定の垂直面、他の垂直面または所定の水平面に沿った任意の複数のブロックが他の対向する複数のブロックに対して球状芯部を中心としてスライド回転できるようになっているとともに、球状芯部と吸着部との一方が磁性体で構成され、他方が磁石で構成され、複数のブロックの内面（１３ｂ，２３ａ，２４ａ）に、それぞれブロックの内面における球状芯部側から外側に向かって延びる条溝（１４）と、条溝の内部から条溝の外部に突出する摺動面を備えた凸部（１４ａ）とが形成され、かつ複数のブロックの凸部の条溝の端部からの位置がそれぞれ異なるようになっているとともに、同じブロックの内面に形成された凸部の条溝の端部からの位置がそれぞれ同じになって、隣接する各ブロックのそれぞれの内面どうしが対向したときに、対向する一方の内面の条溝に摺動面を対向させて他方の内面の凸部が係合するようにしたことにある。
【０００８】
本発明に係る立体パズルは、球状芯部と、球状芯部の表面に沿って摺動できる複数のブロックと、複数のブロックにそれぞれ設けられ球状芯部に対向して配置された吸着部とを備え、球状芯部と吸着部との一方が磁性体で構成され、他方が磁石で構成されている。このため、各ブロックは、球状芯部と吸着部との吸引力によって球状芯部に引き付けられた状態で、球状芯部の表面に沿って摺動できる。このときのブロックの移動は、所定の面に沿った任意の複数のブロックが一組となって、前述した所定の面を挟んで対向する他の複数のブロックに対して球状芯部を中心としてスライド回転する移動である。
【０００９】
このため、一組のブロックが他の複数のブロックに対してスライドするときの境界となる所定の面を、所定の垂直面、所定の垂直面に直交する他の垂直面、および両垂直面に直交する所定の水平面のうちのいずれかにそれぞれ変更しながら一組のブロックを回転していくことにより、各ブロックの配置を変更することができる。これによって、各ブロックの配置をバラバラにしたり元の状態に戻したりすることができる。また、各ブロックは、吸着部を介して球状芯部の表面を摺動するため、立体パズルを操作するときの摺動抵抗が小さくなる。さらに、立体パズルを、球状芯部と複数のブロックに分解しても、吸着部と球状芯部を対向させて接近させるだけでブロックを球状芯部に組み付けることができるため、容易に元の状態に戻すことができる。
【００１０】
なお、本発明において、例えば、球状芯部の中心を通り左右に延びる仮想軸をＸ軸、球状芯部の中心を通り前後に延びる仮想軸をＹ軸、球状芯部の中心を通り上下に延びる仮想軸をＺ軸とした場合に、所定の垂直面をＸ軸が含まれる垂直面およびそれに平行する垂直面とすれば、他の垂直面はＹ軸が含まれる垂直面およびそれに平行する垂直面となり、所定の水平面はＺ軸に直交する水平面となる。これらの垂直面および水平面は仮想の平面である。
【００１２】
本発明によると、凹部と凸部を係合させることにより、各ブロック間の位置決めが正確にできるようになる。また、立体パズルを操作するたびに凹部と凸部が係合してクリック感が生じるため、目視だけでなく触感によっても操作の手ごたえを感じることができ、興趣に富むようになる。なお、本発明における凹部の形状は、円形、細長い線状などどのような形状でもよい。また、凸部の形状は、凹部に対して軽く係合できる球面、扇形などの摺動面が備わっている形状であることが好ましい。
【００１３】
要は、凸部は、ブロックの内面に当接しているときには、摺動可能な面によってブロックどうしの摺動が妨げられず、凹部に係合するときには、ブロック間の位置決めができるとともに、クリック感を生じさせるものであればよい。また、凸部が凹部に対して係合したり、その係合が解除される際にも、摺動面が凹部の内面に接触することによって、摺動抵抗が小さくなる。なお、凸部の先端には、２つのブロック間の隙間よりも幅が長い小さな平面部分を形成することが好ましく、これによると、凸部が２つのブロック間の隙間を横切って通過する際に、引っかかることが防止される。
【００１４】
本発明によると、各ブロックの内面に条溝からなる凹部を形成するとともに、その凹部内に凸部を形成し、さらに、凸部の条溝の端部からの位置がそれぞれ異なるようにしたため、対向する内面の凸部どうしが当接して、凹部との係合が妨げられるといったことが生じない。また、凸部は条溝に沿った位置にあるため、各ブロックの対向する内面どうしが正確に一致したときに、凸部が条溝に係合するように構成できる。なお、同じブロックの３つまたは４つの内面に形成された凸部については、条溝の端部からの位置が同じであってもよい。
【００１５】
本発明に係る立体パズルの他の構成上の特徴は、立体パズルの全体形状を立方体にするとともに、複数のブロックを８個で構成し、条溝をブロックの内面における球状芯部側から対角線方向の外側に向かって延びるように形成したことにある。複数のブロックを、８個で構成した場合には、任意の４個のブロックが一組となって他の４個のブロックに対して球状芯部を中心としてスライド回転できるため、各４個一組のブロックが他の４個一組のブロックに対してスライドする面を、Ｘ軸が含まれる垂直面、Ｘ軸に直交するＹ軸が含まれる垂直面、およびＸ軸とＹ軸が含まれる水平面のいずれかににそれぞれ変更していくことにより、各ブロックの配置を変更することができる。また、本発明に係る立体パズルのさらに他の構成上の特徴は、複数のブロックを２６個で構成したことにある。複数のブロックを、２６個で構成した場合には、各９個一組のブロックが他の１７個のブロックに対してスライドする面を、Ｘ軸が含まれる垂直面およびそれに平行する垂直面、Ｙ軸が含まれる垂直面およびそれに平行する垂直面、およびＺ軸に直交する水平面のいずれかににそれぞれ変更していくことにより、各ブロックの配置を変更することができる。
【００１６】
本発明に係る立体パズルのさらに他の構成上の特徴は、球状芯部を磁性体で構成し、吸着部を磁石（１８，２８）で構成したことにある。
【００１７】
球状芯部は、立体パズルの中心部になるため、各ブロックが接触できるだけの表面積が必要で、比較的大きくする必要があるが、吸着部は、球状芯部の表面の一部に吸着するだけであるため、小さな部材で構成できる。このため、球状芯部でなく、吸着部を磁石で構成することにより、立体パズルを安価にすることができる。また、この場合の球状芯部は、鋼球で構成することが好ましい。さらに、吸着部における球状芯部と対向する面の反対側にヨーク材を設けることが好ましい。これによると吸着部による球状芯部への吸着力を増幅させることができ、軽い衝撃のような小さな力でブロックが球状芯部から外れることを防止できる。
【００１８】
本発明に係る立体パズルのさらに他の構成上の特徴は、全体形状が立法体で、その各外面に位置するブロックの外面がそれぞれ同じ色になるとともに、立方体の６つの外面が互いに異なる色になるようにブロックを組み付けできるようにしたことにある。
【００１９】
本発明によると、立体パズルを、いわゆるルービックキューブのように構成することができる。このため、各外面を形成するブロックの４つの面の色をバラバラにした状態で、操作を開始し、各外面の色が同一色になるようにするパズルを行うことができる。
【図面の簡単な説明】
【００２２】
【図１】本発明の第１実施形態に係る立体パズルを示した斜視図である。
【図２】本発明の第１実施形態に係る立体パズルを示した分解斜視図である。
【図３】ブロックを示した分解斜視図である。
【図４】ブロックを示した断面図である。
【図５】条溝と位置決め突起が係合した状態を示した断面図である。
【図６】本発明の第２実施形態に係る立体パズルを示した斜視図である。
【図７】本発明の第２実施形態に係る立体パズルを示した断面の概略図である。
【発明を実施するための形態】
【００２３】
（第１実施形態）
以下、本発明の第１実施形態を図面を用いて説明する。図１および図２は、同実施形態に係る立体パズル１０を示している。立体パズル１０は、球状芯部１１に、８個のブロック１２を組み付けて、全体の形状が立方体になるように構成されている。立体パズル１０の一辺の長さは４５ｍｍに設定されている。また、球状芯部１１は、直径が１５ｍｍの鋼球で構成されている。ブロック１２は、図３に示したように、内面部１３と、外面部１６と、磁石１８と、ヨーク材１９とで構成されている。内面部１３と、外面部１６は、樹脂の成形体で構成されている
【００２４】
内面部１３は、３つの略正方形の板状の内面構成部１３ｂを互いに直交するように組み付けて形成される内面部本体１３ａを備えており、この内面部本体１３ａの外面における３つの内面構成部１３ｂが交差する部分には、球状芯部１１の曲面に沿える摺動凹部１３ｃが形成されている。また、各内面構成部１３ｂの外面には、摺動凹部１３ｃから内面構成部１３ｂの対角線方向に延びる断面Ｖ型の条溝１４が形成されている。
【００２５】
そして、条溝１４における摺動凹部１３ｃと反対側の端部近傍に、条溝１４から突出する位置決め突起１４ａが形成されている。この位置決め突起１４ａは、条溝１４の幅方向に沿った板状に形成され、条溝１４から突出した部分の先端面は略円弧状に形成されている。また、位置決め突起１４ａの先端には、２つのブロック１２間の隙間よりも幅が長い小さな平面部分が形成されている。これによって、位置決め突起１４ａが２つのブロック１２間の隙間を横切って通過する際に、突起１４ａが隙間に引っ掛かることが防止される。なお、位置決め突起１４ａは、条溝１４の形状に合わせて形成することが好ましく、位置決め突起１４ａと条溝１４との接触面積が大きくなることが好ましい。これによると、位置決め突起１４ａの摩耗を減らすことができる。
【００２６】
また、各内面構成部１３ｂに形成された位置決め突起１４ａは、それぞれ条溝１４の端部からの位置が異なるように配置されている。ただし、同じブロック１２の３つの内面構成部１３ｂに形成された位置決め突起１４ａについては、条溝１４の端部からの位置が同じであってもよい。なお、条溝１４で、本発明に係る凹部が構成され、位置決め突起１４ａで、本発明に係る凸部が構成される。また位置決め突起１４ａの先端面で摺動曲面が構成される。
【００２７】
また、内面部本体１３ａの内面には、大きなボス部１５と、小さな３つのボス部１５ｂが形成されている。ボス部１５は、内面部本体１３ａの内面角部（摺動凹部１３ｃに対応する部分）から各内面構成部１３ｂとの距離が同じになるようにして延びる円筒状に形成されており、摺動凹部１３ｃとの間に穴部１５ａが形成されている。このため、ボス部１５の両端は外部に連通している。また、穴部１５ａの直径は、ボス部１５の内径よりも短くなっており、穴部１５ａの周縁部は、ボス部１５の内部側に突出している。ボス部１５ｂは、各内面構成部１３ｂの内面における各内面構成部１３ｂが互いに交差していない角部の近傍に設けられており、ボス部１５と平行して延びる円筒状に形成されている。なお、図３において下方に位置する内面構成部１３ｂは隠れて見えない。
【００２８】
外面部１６は、３つの正方形の板状の外面構成部１６ｂを互いに直交するように組み付けて形成される外面部本体１６ａを備えており、外面部本体１６ａの内面に、ボス部１７と、３つの係合凸部１７ｂ（図４参照）とが形成されている。各外面構成部１６ｂの外面には、それぞれ異なる色のシール１６ｃが貼り付けられている。このシール１６ｃとしては、全体で６色のものがそれぞれ４枚用いられている。また、ボス部１７は、外面部本体１６ａの内面角部から各外面構成部１６ｂとの距離が同じになるようにして延びる円筒状に形成されており、図４に示したように、基端が外面部本体１６ａの角部によって閉塞され、先端が開放されている。このボス部１７の内周面は奥端側部分の直径が他の部分の直径よりも小さくなった段違いに形成されている。
【００２９】
ボス部１７の内部大径側の直径は、ボス部１５を嵌合させることができる大きさに設定されており、ボス部１７の内部に、ボス部１５を嵌合させたときに、ボス部１５の先端部はボス部１７の内周面に形成された段部１７ａに到達し、その状態で、ボス部１５はボス部１７に固定される。係合凸部１７ｂは、ボス部１５ｂの内部に嵌合させることのできる大きさの棒状に形成されている。各係合凸部１７ｂは、ボス部１７の内部にボス部１５を嵌合させたときに、それぞれボス部１５ｂの内部に嵌合できる位置に配置されている。なお、図には表れていないが、係合凸部１７ｂは、図３に示した外面部１６においては、上方に位置する外面構成部１６ｂの下面の左右の角部と、下方に位置する２つの外面構成部１６ｂの内面角部の下端に位置している。
【００３０】
磁石１８は、直径が５ｍｍで軸方向の長さが５ｍｍの円柱形のネオジウム磁石で構成されており、ボス部１５内の穴部１５ａ側に収容されている。なお、穴部１５ａの直径は、５ｍｍよりも短く設定されており、このため、磁石１８は、穴部１５ａから抜けなくなっている。また、ヨーク材１９は、鉄材で構成されており、直径は、ボス部１７の奥端部の直径よりも少し短く、軸方向の長さは、磁石１８とともに、ボス部１５とボス部１７で形成される空間に収容したときに、がたつくことがなく収まる長さに形成されている。
【００３１】
このように各部材が構成されたブロック１２は、内面部１３のボス部１５内に、磁石１８と、ヨーク材１９を入れた状態で、ボス部１５とボス部１７を嵌合させるとともに、ボス部１５ｂと係合凸部１７ｂを嵌合させることにより、内面部１３と外面部１６を固定し、各外面構成部１６ｂの外面に、それぞれシール１６ｃを貼り付けることにより形成される。そして、球状芯部１１の周面に、それぞれのブロック１２の摺動凹部１３ｃを合わせ、８個のブロック１２が立方体になるように組み合わせて図１に示した立体パズル１０が形成される。
【００３２】
この場合、各ブロック１２は、磁石１８が球状芯部１１に吸着することで、球状芯部１１に対して摺動可能な状態で、立方体の形状に維持される。また、その際、隣接するブロック１２の対向する内面構成部１３ｂに形成された位置決め突起１４ａと条溝１４とが互いに係合して、安定した状態に維持される。また、この初期の状態では、立体パズル１０の各面に位置する４つの外面構成部１６ｂに貼られたシール１６ｃの色が同じになり、立体パズル１０の各面ごとに異なる色が表れるようにする。
【００３３】
このように構成された立体パズル１０は、図１に示したように左右に延びる方向をＸ軸、前後に延びる方向をＹ軸、上下に延びる方向をＺ軸としたときに、Ｘ軸が含まれる垂直面を境にして、前側に位置する４つのブロック１２と後側に位置するブロック１２を、球状芯部１１を中心として互いに回転できる。また、Ｙ軸が含まれる垂直面を境にして、左側に位置する４つのブロック１２と右側に位置するブロック１２を、球状芯部１１を中心として互いに回転できる。さらに、Ｘ軸とＹ軸が含まれる水平面、すなわち、Ｚ軸に直交する平面を境にして、上側に位置する４つのブロック１２と下側に位置するブロック１２を、球状芯部１１を中心として互いに回転できる。
【００３４】
このため、立体パズル１０を使用する場合には、まず、前後、左右、上下にそれぞれ区分できる任意の４個のブロック１２を一組として、他方の４個一組のブロック１２に対して回転させることにより、立体パズル１０の各面の色をバラバラにする。その状態から、再度、任意の４個のブロック１２を一組として、他方の４個一組のブロック１２に対して回転させることにより、立体パズル１０の各面の色が一致するようにする。立体パズル１０の各面の色が一致したところでパズルは終了する。
【００３５】
立体パズル１０を回転操作する際に、各ブロック１２の内面どうしが一致すると、図５に示したように、位置決め突起１４ａと条溝１４とが互いに係合し、「カチッ」という音が聞こえるとともに、振動が伝わるため、クリック感を感じることができる。なお、図５は、右側の内面構成部１３ｂの位置決め突起１４ａが、左側の内面構成部１３ｂの条溝１４に係合した状態を示しており、その奥側では、左側の内面構成部１３ｂの位置決め突起１４ａが、右側の内面構成部１３ｂの条溝１４に係合している。
【００３６】
以上のように、本実施形態に係る立体パズル１０は、鋼球からなる球状芯部１１と、摺動凹部１３ｃを介して球状芯部１１の表面に沿って摺動できる８個のブロック１２とを備えている。そして、８個のブロック１２にはそれぞれ球状芯部１１に対向して配置された磁石１８が備わっている。このため、各ブロック１２は、球状芯部１１と磁石１８との吸引力によって球状芯部１１に引き付けられた状態で、球状芯部１１の表面に沿って摺動できる。このときのブロック１２の移動は、任意の４個のブロック１２が一組となって他の４個のブロック１２に対して球状芯部１１を中心としてスライド回転する移動になる。
【００３７】
これによると、各ブロック１２の配置をバラバラにしたり元の状態に戻したりすることができる。また、各ブロック１２は、磁石１８を介して球状芯部１１の表面を摺動するため、立体パズル１０を操作するときの摺動抵抗が小さくなる。さらに、各ブロック１２は磁石１８の吸引力によって、球状芯部１１に組み付けられているため、立体パズル１０を、球状芯部１１と８個のブロック１２に分解しても、各ブロック１２の磁石１８と球状芯部１１を順次対向させて接近させるだけで各ブロック１２を球状芯部１１に組み付けることができる。このため、分解された球状芯部１１と８個のブロック１２を容易に元の立体パズル１０の状態に戻すことができる。
【００３８】
また、隣接するブロック１２が互いに対向する面を構成する内面構成部１３ｂには、それぞれ条溝１４と、条溝１４内に位置する位置決め突起１４ａが形成されている。そして、２つの内面構成部１３ｂが一致するように対向したときに、一方の内面構成部１３ｂの条溝１４に、他方の内面構成部１３ｂの位置決め突起１４ａが係合する。これによって、立体パズル１０を操作するたびにクリック感が生じるため、目視だけでなく触感によっても操作の手ごたえを感じることができるとともに、各ブロック１２間の位置決めも正確にできるようになる。さらに、磁石１８における球状芯部１１と対向する面の反対側にヨーク材１９を設けたため磁石１８による球状芯部１１への吸引力を増幅させることができる。
【００３９】
（第２実施形態）
図６および図７は、本発明の第２実施形態に係る立体パズル２０の概略を示している。立体パズル２０は、球状芯部２１に、８個のブロック２２、１２個のブロック２３および６個のブロック２４を組み付けて、全体の形状が立方体になるように構成されている。立体パズル２０は、各面に、それぞれ４つのブロック２２，２３と１つのブロック２４の計９つのブロックが表れるようにして組み付けられており、各辺の長さは６０ｍｍ程度に設定されている。また、ブロック２２は、立体パズル２０の８か所の角部にそれぞれ位置し、ブロック２３は、立体パズル２０におけるそれぞれ２つの面が交差する角部分の中央（２つのブロック２２に挟まれた部分）の１２か所に位置し、ブロック２４は、立体パズル２０の６面のそれぞれ中央部に位置している。
【００４０】
球状芯部２１は、直径が約４０ｍｍの鋼球で構成されている。また、ブロック２２は、前述したブロック１２と同様、３つの内面構成部を有する内面部（図示せず）と、３つの外面構成部２２ａを有する外面部を備えており、内部には、磁石（図示していないが、図７に符号２８で示した磁石と同じもの）が設置されている。すなわち、ブロック２２は、ブロック１２からヨーク材１９を除くとともに、内面部１３のボス部１５と外面部１６のボス部１７を、磁石２８を収容できる形状にし、さらに、内面部１３に設けられた摺動凹部１３ｃを球状芯部２１の表面に沿えるようにした形状に形成されている。このため、ブロック２２の内面部の３つの内面構成部には、それぞれ、条溝１４および位置決め突起１４ａと同様の、断面Ｖ型の条溝と位置決め突起が形成されている。ブロック２２のそれ以外の部分の構成についても、ブロック１２と同じである。
【００４１】
ブロック２３は、４つの内面構成部２３ａを有する内面部と、２つの外面構成部２３ｂを有する外面部を備えており、内部には、磁石２８が設置されている。４つの内面構成部２３ａのうちブロック２２と対向する２つの内面構成部２３ａは、ブロック２２の内面構成部と同じ形状（図７に示したブロック２３に近い形状で、摺動凹部２３ｃが図７よりも少し小さくなっている。）に形成され、残りの２つの内面構成部２３ａは、ブロック２４の内面構成部２４ａと同じ形状（図７に示したブロック２４に近い形状で、後述する摺動凹部２４ｃが図７よりも少し小さくなっている。）に形成されている。外面構成部２３ｂは、ブロック２２の外面構成部２２ａと同じ大きさの正方形に形成されている。
【００４２】
また、図示は省略するが、ブロック２２と対向する２つの内面構成部２３ａには、ブロック２２の条溝と対向する同形の条溝が形成され、その条溝内に、ブロック２２の位置決め突起と球状芯部２１からの距離を変えて位置決め突起が形成されている。ブロック２４に対向する２つの内面構成部２３ａには、摺動凹部２３ｃから内面構成部２３ａの中心を通って外部側に延びる条溝と、その条溝内に位置する位置決め突起が形成されている。すなわち、図７の状態で、ブロック２２と対向する２つの内面構成部２３ａに形成された条溝は斜め方向に延びているのに対し、ブロック２４と対向する２つの内面構成部２３ａに形成された条溝は上下方向または左右方向に延びている。
【００４３】
ブロック２４は、４つの内面構成部２４ａを有する内面部と、１つの外面構成部２４ｂを有する外面部を備えており、内部には、磁石２８が設置されている。４つの内面構成部２４ａは、すべて、ブロック２３における対向する内面構成部２３ａと同じ形状に形成されている。また、各内面構成部２４ａには、ブロック２３における対向する内面構成部２３ａに形成された条溝と対向する形状の条溝が形成され、その条溝内に、ブロック２３の位置決め突起と球状芯部２１からの距離を変えて位置決め突起が形成されている。各ブロック２２〜２４の外面構成部２２ａ，２３ｂ，２４ｂには、それぞれ着色されたシール（図示せず）が貼り付けられている。そして、球状芯部２１の周面に、それぞれのブロック２２〜２４の摺動凹部２３ｃ，２４ｃ等を合わせた状態で、２６個のブロック２２〜２４を立方体になるように組み合わせて図６に示した立体パズル２０が形成される。
【００４４】
この場合、各ブロック２２〜２４は、磁石２８が球状芯部２１に吸着することで、球状芯部２１に対して摺動可能な状態で、立方体の形状に維持される。また、隣接するブロック２２〜２４の対向する内面構成部２３ａ，２４ａ等に形成された位置決め突起と条溝とが互いに係合して、安定した状態に維持される。また、初期の状態では、立体パズル２０の各面に位置する９つの外面構成部２２ａ，２３ｂ，２４ｂに貼られたシールの色が同じになり、立体パズル２０の各面にはそれぞれ異なる色が表れる。
【００４５】
このように構成された立体パズル２０は、図６におけるＸ軸が含まれる垂直面に平行する２つの垂直面を境にして、前側に位置する９つのブロック２２〜２４または後側に位置する９つのブロック２２〜２４を他のブロック２２〜２４に対して、球状芯部２１を中心として互いに回転できる。また、Ｙ軸が含まれる垂直面に平行する２つの垂直面を境にして、左側に位置する９つのブロック２２〜２４または右側に位置する９つのブロック２２〜２４を他のブロック２２〜２４に対して、球状芯部２１を中心として互いに回転できる。さらに、Ｚ軸に直交する２つの水平面を境にして、上側に位置する９つのブロック２２〜２４または下側に位置する９つのブロック２２〜２４を他のブロック２２〜２４に対して、球状芯部２１を中心として互いに回転できる。
【００４６】
この立体パズル２０を使用する場合は、まず、前後、左右、上下にそれぞれ区分できる任意の９個のブロック２２〜２４を一組として、他のブロック２２〜２４に対して回転させることにより、立体パズル２０の各面の色をバラバラにする。その状態から、再度、任意の９個のブロック２２〜２４を一組として、他のブロック２２〜２４に対して回転させることにより、立体パズル２０の各面の色が一致するようにする。立体パズル２０の各面の色が一致したところでパズルは終了する。このように、立体パズル２０は、前述した立体パズル１０と同様の方法で使用できるが、ブロック２２〜２４の数が多い分、立体パズル１０よりも複雑になり、難易度の高いゲームが可能になる。この立体パズル２０のそれ以外の作用効果は、前述した立体パズル１０の作用効果と同様である。
【００４７】
また、本発明に係る立体パズルは、前述した実施形態に限定するものでなく、適宜変更することができる。例えば、前述した実施形態では、立体パズル１０，２０を、立方体にしてその各外面を形成するブロックの４つの外面の色をバラバラにした状態で、操作を開始し、各外面の色が同一色になるようにするパズルに用いるものとしているが、本発明に係る立体パズルは、これに限定されるものではない。例えば、各ブロックに通路を形成して、その通路をバラバラにしたのちに、操作により通路を連通させるパズルとして用いるようにしてもよいし、外形を所定の形状にして、その形状をバラバラにしたのちに、操作により元の形状に戻すパズルとして用いるようにしてもよい。
【００４８】
さらに、立体パズル１０，２０の表面の色に変えて、図形、一定の順序に配置された数字などを用いてもよい。立体パズル１０，２０の外形も立方体に限らず、種々の形状にすることができる。また、ブロックの数も８個または２６個に限らず、それ以上にしてもよい。この場合でも、各ブロックは、磁性体と磁石からなる球状芯部と吸着部を介して球状芯部に組み付けられるため構造が複雑になることはない。また、前述した実施形態では、球状芯部１１，２１を鋼球で構成し、吸着部を磁石１８，２８で構成しているが、球状芯部１１，２１を磁石で構成し、吸着部を鋼で構成してもよい。さらに、球状芯部１１，２１を鋼球以外の磁性を備えた材料で構成してもよいし、球状芯部１１，２１を磁石で構成する場合には、吸着部を鋼以外の磁性を備えた材料で構成してもよい。
【００４９】
また、前述した実施形態では、凹部を条溝１４等で構成し、凸部を先端面が円弧状に形成された板状の位置決め突起１４ａ等で構成しているが、これに代えて、例えば、凹部を円形の凹部で構成し、凸部を円形の凸部で構成してもよい。さらに、磁石１８の一端側に設けたヨーク材１９は省略することもできる。また、立体パズル２０のブロック２２〜２４を大きくして、磁石２８の一端側にヨーク材を設けてもよい。さらに、本発明に係る立体パズルのそれ以外の部分の構成についても本発明の技術的範囲内で適宜変更して実施することが可能である。
【符号の説明】
【００５０】
１０，２０…立体パズル、１１，２１…球状芯部、１２，２２，２３，２４…ブロック、１３ｂ，２３ａ，２４ａ…内面構成部、１４…条溝、１４ａ…位置決め突起、１８，２８…磁石。
【図１】
0006484788.tif 000002
【図２】
0006484788.tif 000003
【図３】
0006484788.tif 000004
【図４】
0006484788.tif 000005
【図５】
0006484788.tif 000006
【図６】
0006484788.tif 000007
【図７】
0006484788.tif 000008